(57)【要約】【課題】  スプリアスを発生させることなく、設定された連続送信時間を超える送信を制御することが可能なデジタル無線機を提供する。【解決手段】  デジタル無線機は、信号処理部２０と、周波数変換部４０の間に振幅制御部３０を備える。デジタル無線機は、送信制御処理部８０で無線機からの信号送信が規定の連続送信時間を超えて行われる可能性があるか否かを判定し、その可能性がある場合、周波数変換部４０でベースバンド信号の振幅をメモリ１１０から読み出したハニング窓関数に基づいて減衰させる。そして、振幅を減衰させた後に、電力増幅器５０の動作を停止させるようにしている。このため、単純に電力増幅器の動作を停止させる場合と異なり、送信信号に不連続が生じることがなくなるため、スプリアスが発生することがなくなる。【選択図】      図１
2009253901.tif 000002
【特許請求の範囲】
【請求項１】
送信信号の連続送信時間を計時する計時手段と、
前記連続送信時間が所定時間に達したときに前記送信信号の振幅を徐々に減衰させる振幅制御手段と、
前記送信信号の振幅が所定幅まで減衰した後に前記送信信号の送信を終了させる送信終了手段と
を備えることを特徴とするデジタル無線機。
【発明の詳細な説明】
【技術分野】
【０００１】
本発明は、例えば、信号の連続送信を制御するデジタル無線機に関する。
【背景技術】
【０００２】
現在規格化が進んでいる狭帯域デジタル簡易無線局の無線設備においては、無用なチャネルの占有を防ぐため、連続送信時間が５分と規定されている（例えば、特許文献１参照）。この規定により、例えば、無線機に動作異常が生じた場合でも、５分以内に無線機による送信信号の出力を停止させなくてはならない。このように、無線機に動作異常が生じた場合でも当該無線機の送信を停止させるには、無線機の制御部よりも上位における送信制御が必要となる。
【０００３】
そこで、この種のデジタル無線機には、送信信号の連続送信時間を監視して送信動作を制御する送信制御処理部が備えられている。この送信制御処理部は、例えば計時時間が上記５分より短く設定されたタイマを備え、送信信号の送信開始時点で当該タイマを起動してタイマがタイムアウトした時点で、送信信号を増幅する電力増幅器の動作を強制的に停止させることで、送信を停止するものとなっている。
【特許文献１】特開２００３−３０９４７３号公報
【発明の開示】
【発明が解決しようとする課題】
【０００４】
ところが、前記デジタル無線機では、連続送信時間が５分を超えそうになった場合、電力増幅器の動作を単純に強制停止させるものとなっているため、送信信号に不連続が生じ、スプリアスが発生してしまうという問題点がある。
【０００５】
本発明は上記事情によりなされたものであり、その目的はスプリアスを発生させることなく送信を強制停止させることが可能なデジタル無線機を提供することにある。
【課題を解決するための手段】
【０００６】
上記目的を達成するため、本発明に係るデジタル無線機は、送信信号の連続送信時間を計時する計時手段と、前記連続送信時間が所定時間に達したときに前記送信信号の振幅を徐々に減衰させる振幅制御手段と、前記送信信号の振幅が所定幅まで減衰した後に前記送信信号の送信を終了する送信終了手段とを備えることを特徴とする。
【０００７】
また、本発明に係るデジタル無線機は、ベースバンド信号を出力する送信ベースバンド部と、前記ベースバンド信号を高周波帯域に変換したのち電力増幅し、この電力増幅された送信信号を送信する無線送信部とを備えるデジタル無線機であって、前記送信ベースバンド部と前記無線送信部との間に設置される振幅制限部と、前記無線送信部による送信信号の送信動作を制御する送信制御部とを具備し、前記送信制御部は、前記送信信号の連続送信時間を計時する計時手段と、前記計時手段により計時される前記送信信号の連続送信時間が予め定められた最大時間に基づいて設定された値に達した場合に、前記ベースバンド信号の振幅を予め設定された減衰特性に従い徐々に減衰させるべく前記振幅制限部の振幅制限特性を制御する振幅制御手段と、前記振幅制限部により前記ベースバンド信号の振幅が予め設定した値以下に低下するに要する時間が経過したのち、前記無線送信部による送信信号の送信動作を停止させる停止制御手段とを備えることを特徴とする。
【発明の効果】
【０００８】
したがって、本発明に係るデジタル無線機は、送信信号の振幅を徐々に減衰させた後、その振幅が所定幅まで減衰されると送信信号の送信を終了させることが可能になる。これにより、送信動作を停止させる際に、送信信号に不連続が生じることがなくなるため、スプリアスが発生することがなくなる。
【０００９】
すなわち、本発明によれば、スプリアスを発生させることなく、設定された連続送信時間を超える送信を制御することが可能なデジタル無線機を提供することができる。
【発明を実施するための最良の形態】
【００１０】
以下、図面を参照しながら本発明に係るデジタル無線機について詳細に説明する。  
図１は、本発明の一実施形態に係るデジタル無線機の機能構成を示すブロック図である。図１において、送信制御部１０は、例えばマイクロプロセッサからなるＣＰＵ（Central Processing Unit）を備えたもので、外部からのプレス信号やデータ送信開始信号を受けた場合、信号処理部２０に音声データや送信するデータを送出する。また、送信制御部１０は、信号処理部２０にデータを送出すると、制御信号判定部１００へ電力増幅器５０を動作させるよう動作開始信号を送出する。制御信号判定部１００は、送信制御部１０からの電力増幅器５０の動作開始信号を受け取った場合、送信制御処理部８０からの動作停止信号の有無を判定し、有る場合は動作停止信号を、無い場合は動作開始信号を電力増幅器５０へ出力する。
【００１１】
信号処理部は、送信制御部１０から受け取ったデータにマッピング処理等を行い、データを変調信号として振幅制御部３０へ出力する。振幅制御部３０は、送信制御処理部８０からの振幅制御信号に従い振幅を変更し、周波数変換部４０へ出力する。周波数変換部４０は、受け取った変調信号を伝送周波数帯域の信号へ変換した後、電力増幅器５０へ出力する。電力増幅器５０は、入力された信号を所定の電力まで増幅し、アンテナ６０を介して送信する。また、電力増幅器５０は、電力を増幅した信号を検波部７０にも出力する。検波部７０は、受け取った信号の電力に比例した電圧情報を送信制御処理部８０へ出力する。
【００１２】
送信制御処理部８０は、デジタル無線機からの信号の送信が規定の連続送信時間を超えないように制御するものであり、送信制御部１０、検波部７０、制御信号判定部１００、タイマ９０、メモリ１１０及びリセット部１２０と接続している。
【００１３】
送信制御処理部８０は、検波部７０からの電圧情報と、予め設定される閾値とを常に比較する。前回の値が閾値より下で、今回の値が閾値より上ならば送信が開始されたと判定し、前回の値が閾値より上で、今回の値が閾値より下ならば送信が終了したと判定する。送信制御処理部８０は、送信が開始されたと判定すると、規定の連続送信時間である５分を超えないような任意の時間ｎ１後に送信制御処理部８０へ通知を行うようタイマ９０を設定する。また、送信制御処理部８０は、タイマ９０からの通知より前に、送信が終了したと判定すると、タイマ９０に対してリセット処理を行う。
【００１４】
送信制御処理部８０は、送信開始から送信終了までの間、振幅制御部３０に対し、入力信号の振幅を変動させず出力するよう一定の制御を行う。送信制御処理部８０は、タイマ９０からの通知を受けた場合、５分を超える送信が行われる可能性があると判断して、メモリ１１０に格納されている係数情報を読み出す。そして、送信制御処理部８０は、この係数情報に基づいて振幅制御信号を生成し、振幅制御部３０へ送出する。
【００１５】
送信制御処理部８０は、振幅制御部３０の振幅制御が完了すると、制御信号判定部１００に対して電力増幅器５０を停止させる動作停止信号を送出する。制御信号判定部１００は、送信制御部１０からの動作開始信号よりも送信制御処理部８０からの動作停止信号を優先し、動作停止信号を電力増幅器５０へ送出して電力増幅器５０の動作を停止させる。
【００１６】
送信制御処理部８０は、動作停止信号を送出すると、送信を停止させた旨を送信制御部１０に通知し、その通知と同時にｎ２秒（ｎ２は整数）後に送信制御処理部８０へ通知をするようタイマ９０を設定する。このとき設定するｎ２秒は、送信制御部１０が送信制御処理部８０からの動作停止通知を受けた後、その解除指示を送信制御処理部８０へ送出することが可能な時間長とする。
【００１７】
送信制御部１０が正常動作をしている場合、つまりユーザー等のミスにより連続送信時間が５分を超過する可能性がある場合には、送信制御部１０は、送信制御処理部８０から送信を停止させた旨の通知を受けると、信号処理部２０へのデータの供給を停止する処理を行い、送信制御処理部８０へ解除指示を送出する。送信制御処理部８０は、ｎ２秒以内に解除指示を受けると、タイマ９０に対しリセット処理を行い、制御信号判定部１００に対し電力増幅器５０の動作の停止を中止する中止信号を送出する。一方、送信制御部１０がなんらかの要因で異常動作している場合、解除指示がｎ２秒以内に送信制御処理部８０へ送達される事はない。その場合、送信制御処理部８０はタイマ９０からのｎ２秒経過の通知を受けることとなり、タイマ９０からの通知を受けた後、リセット部１２０に対し、無線機全体をリセット処理するよう指示を行う。
【００１８】
上記振幅制御部３０は、送信制御処理部８０からの振幅制御信号に基づいて、信号処理部２０からのベースバンド信号の振幅の変更を行う。メモリ１１０に記憶されている係数は、例えばハニング窓関数とすると、係数値は次式より算出される。
【００１９】
ハニング窓関数Ｃ（ｔ）＝０．５（１−ｃｏｓ（πｔ／Ｎ））  
ここで定数Ｎは窓関数により振幅制御を行う時間長を示す。このハニング窓関数により、振幅制御部３０に入力された信号の振幅は徐々に減衰され振幅がゼロに漸近する。なお、この定数Ｎで定義される時間長と前述した時間ｎ１との合計が５分を超えないように、それぞれの値が設定される。
【００２０】
以下では、上記構成のデジタル無線機の送信制御処理部８０の処理フローを詳細に説明する。  
図２は、本発明の一実施形態に係るデジタル無線機の送信制御処理部８０の処理を示すフローチャートである。  
まず、送信制御処理部８０は、ステップＳ２ａで検波部７０から電圧情報を取得する。送信制御処理部８０は、ステップＳ２ｂにおいて、取得した電圧値を予め設定された閾値と比較し、電圧値＞閾値であるか否かを判定する。ここで、電圧値＞閾値でない場合、ステップＳ２ａにおいて次の電圧情報を取得する。電圧値＞閾値である場合、ステップＳ２ｃにおいて、規定の連続送信時間である５分を超えないような任意の時間ｎ１後に送信制御処理部８０へ通知を行うようタイマ９０を設定する。そして、送信制御処理部８０は、ステップＳ２ｄにおいて、検波部７０から電圧情報を取得し、ステップＳ２ｅでタイマ９０からの通知より前に、取得した電圧値＜閾値となるか否かを判定する。タイマ９０からの通知より前に、取得した電圧値＜閾値となる場合、ステップＳ２ｆにおいて、タイマ９０に対してリセット処理を行い、処理を終了させる。電圧値＜閾値とならない場合、ステップ２ｇにおいて、メモリ１１０から係数情報を読み出す。
【００２１】
送信制御処理部８０は、ステップＳ２ｈにおいて、メモリ１１０から読み出したハニング窓関数に基づいて振幅制御信号を生成し、この振幅制御信号を振幅制御部３０へ送出する。そして、ステップＳ２ｉで振幅制御部３０の振幅制御が完了したか否かを判定し、完了した場合、ステップＳ２ｊにおいて、制御信号判定部１００に動作停止信号を送出する。
【００２２】
送信制御処理部８０は、動作停止信号を送出すると、ステップＳ２ｋにおいて、送信を停止させた旨を送信制御部１０に通知し、ステップＳ２ｌでｎ２秒後に送信制御処理部８０へ通知をするようタイマ９０を設定する。この後、送信制御処理部８０は、ステップＳ２ｍにおいて、タイマ９０からの通知より前に、送信制御部１０からの解除指示があるか否かを判定する。解除指示がある場合、ステップＳ２ｎにおいて、タイマ９０に対しリセット処理を行い、制御信号判定部１００に対し電力増幅器５０の動作の停止を中止する中止信号を送出した後、処理を終了させる。解除指示がない場合、ステップＳ２ｏにおいて、リセット部１２０に対し、無線機全体をリセット処理するよう指示を出した後、処理を終了させる。これにより、無線機は、電源投入時と同様の状態になる。
【００２３】
以上のように、上記実施形態に係るデジタル無線機は、無線機からの信号送信が規定の連続送信時間を超えて行われる可能性がある場合、送信制御処理部８０により、ベースバンド信号の振幅をハニング窓関数に基づいて減衰させた後、電力増幅器５０の動作を停止させるようにしている。このため、単純に電力増幅器の動作を停止させる場合と異なり、送信信号に不連続が生じることがなくなるため、スプリアスが発生することがなくなる。
【００２４】
したがって、本発明に係るデジタル無線機は、スプリアスを発生させることなく、設定された連続送信時間を超える送信を制御することができる。
【００２５】
なお、本発明は上記実施形態に限定されるわけではない。例えば、上記実施形態では、連続送信時間が５分と規定される例について説明したが、他の時間であっても同様に実施可能である。
【００２６】
また、上記実施形態では、メモリ１１０から読み出す係数情報は、ハニング窓関数である例について説明したが、ハニング窓関数に限定されることはなく、ハミング窓関数やブラックマン窓関数等であっても同様に実施可能である。
【００２７】
さらに、本発明は、実施段階ではその要旨を逸脱しない範囲で測定対象を変形して具体化できる。また、上記実施形態に開示されている複数の測定対象の適宜な組み合わせにより、種々の発明を形成できる。例えば、実施形態に示される全測定対象から幾つかの測定対象を削除してもよい。
【図面の簡単な説明】
【００２８】
【図１】本発明の一実施形態に係るデジタル無線機のブロック図である。
【図２】上記実施形態の送信制御処理部の処理を示すフローチャートである。
【符号の説明】
【００２９】
１０…送信制御部
２０…信号処理部
３０…振幅制御部
４０…周波数変換部
５０…電力増幅部
６０…送信アンテナ
７０…検波部
８０…送信制御処理部
９０…タイマ
１００…制御信号判定部
１１０…メモリ
１２０…リセット部
【図１】
2009253901.tif 000003
【図２】
2009253901.tif 000004